(57)【要約】  アニメーション特性を添付し、表示することが可能なショート・メッセージ・サービス（ＳＭＳ）メッセージを生成し、表示する装置及び方法を開示する。アニメーションＳＭＳメッセージを生成するために、送信装置（１１０、１７０）のユーザは、受信側（５２２）を識別するモバイル識別番号、ＳＭＳメッセージがアニメーション特性／受信装置（１２０）に常駐するコンテンツファイルの位置情報を特定するコンテンツ位置指示情報（５２８）を有するか否かを判定するアニメーションフラグ（５２４）、及び、ＳＭＳメッセージの実際のテキスト（５３２）を要求する入力プロンプト（５２０）に応答する。アニメーションＳＭＳメッセージを表示するために、受信装置（１２０）は、要求されたアニメ特性をどのように適用するかを判定するためにＳＭＳメッセージ（５３０）を解析する。アニメーションフラグが確認され（６３８）、受信装置（１２０）上のコンテンツファイルの位置情報が判定される（６３６）。コンテンツファイルが取り出されて、ＳＭＳメッセージのテキストと合成される（６４０）。その後、特定されたアニメーション・タイプに従って当該合成情報がアニメーションとして実行される（６４０）。
2010517192.tif 000002
【特許請求の範囲】
【請求項１】
アニメーション特性をショート・メッセージ・サービス（ＳＭＳ）メッセージに添付することが可能なテキストベースの前記ＳＭＳメッセージを生成するための方法であって、
前記ＳＭＳメッセージの意図した受け手である受信側の携帯移動通信装置を識別するモバイル識別番号を提供するステップ（５２２）と、
前記ＳＭＳメッセージが、前記受信側の携帯移動通信装置によって当該ＳＭＳメッセージに適用されるアニメーション特性を有するか否かを判定するアニメーションフラグを設定するステップ（５２４）と、
前記受信側の携帯移動通信装置に存在するコンテンツファイルの位置を特定するコンテンツ位置指示情報を提供するステップ（５２８）と、
前記ＳＭＳメッセージに関連付けられるテキスト及びキャラクタの少なくとも１つを提供するステップ（５３２）と
を含む、前記ユーザにデータの入力を促すステップ（５２０）と、
入力データを用いて前記ＳＭＳメッセージを生成するステップ（５４０）と
を含むことを特徴とする方法。
【請求項２】
前記ＳＭＳメッセージに関連付けられたコンテンツファイルをどのようにアニメーションとして実行するかを特定するアニメーション・タイプのパラメータを提供するステップ（５３０）を含むユーザにデータの入力を促すステップをさらに含むことを特徴とする請求項１に記載の方法。
【請求項３】
前記アニメーション・タイプは、表情のアニメーションを含むことを特徴とする請求項２に記載の方法。
【請求項４】
前記アニメーション・タイプは、音声ファイルを画像ファイルに同期させることを含むことを特徴とする請求項２に記載の方法。
【請求項５】
前記コンテンツファイルは、画像であることを特徴とする請求項１に記載の方法。
【請求項６】
前記コンテンツファイルは、感情アイコンであることを特徴とする請求項１に記載の方法。
【請求項７】
前記コンテンツファイルは、音声ファイルであることを特徴とする請求項１に記載の方法。
【請求項８】
前記ＳＭＳメッセージは、送信側の携帯移動通信装置（１１０）から受信側の携帯移動通信装置（１２０）へ、モバイル・ネットワーク（１４０）を介して送信されることを特徴とする請求項１に記載の方法。
【請求項９】
前記ＳＭＳメッセージは、コンピュータ装置（１７０）から受信側の携帯移動通信装置（１２０）へ、モバイル・ネットワーク（１４０）と通信可能なインターネット・プロトコル（ＩＰ）ネットワーク（１６０）を介して送信されることを特徴とする請求項１に記載の方法。
【請求項１０】
携帯移動通信装置上で、テキストベースのショート・メッセージ・サービス（ＳＭＳ）メッセージに関連付けられたアニメ特性を有する前記ＳＭＳメッセージを表示するための方法であって、
モバイル・ネットワークから前記ＳＭＳメッセージを受信するステップ（６１０）と、
要求されたアニメーション特性を適用するためにどのように前記ＳＭＳメッセージを扱うかを判定すべく前記ＳＭＳメッセージを解析するステップ（６３０）と、
前記解析されたアニメーションとして実行するＳＭＳメッセージを表示するステップ（６５０）と
を含むことを特徴とする方法。
【請求項１１】
解析する前記ステップは、
受信した前記ＳＭＳメッセージがアニメーション特性と関連付けられているかどうかを判定するステップ（６３２、６３４）と、
受信した前記ＳＭＳメッセージに関連付けられるべき前記携帯移動通信装置上のコンテンツファイルの位置情報を判定するステップ（６３６）と、
前記コンテンツファイルを取り出すステップ（６３６）と、
取り出した前記コンテンツファイルに適用されるべきアニメーション・タイプを判定するステップ（６３８）と、
前記ＳＭＳメッセージのテキストと、取り出した前記コンテンツファイルとを組み合わせるステップ（６４０）と、
アニメーションとして実行するＳＭＳメッセージを生成するために、組み合わせた前記テキストと前記コンテンツファイルとに前記アニメーション・タイプを適用するステップ（６４０）と
を含むことを特徴とする請求項１０に記載の方法。
【請求項１２】
前記アニメーション・タイプは、表情のアニメーションを含むことを特徴とする請求項１１に記載の方法。
【請求項１３】
前記アニメーション・タイプは、音声ファイルを画像ファイルに同期させることを含むことを特徴とする請求項１１に記載の方法。
【請求項１４】
前記コンテンツファイルは、画像であることを特徴とする請求項１１に記載の方法。
【請求項１５】
前記コンテンツファイルは、感情アイコンであることを特徴とする請求項１１に記載の方法。
【請求項１６】
前記コンテンツファイルは、音声ファイルであることを特徴とする請求項１１に記載の方法。
【請求項１７】
アニメーション特性をショート・メッセージ・サービス（ＳＭＳ）メッセージに添付することが可能なテキストベースの前記ＳＭＳメッセージを生成するための方法をコンピュータに実行させるコンピュータプログラムを記憶したコンピュータで読取みり可能な記憶媒体であって、
前記コンピュータプログラムは、
前記ＳＭＳメッセージの意図した受け手である受信側の携帯移動通信装置を識別するモバイル識別番号を提供するステップ（５２２）と、
前記ＳＭＳメッセージが、前記受信側の携帯移動通信装置によって当該ＳＭＳメッセージに適用されるアニメーション特性を有するか否かを判定するアニメーションフラグを設定するステップ（５２４）と、
前記受信側の携帯移動通信装置に存在するコンテンツファイルの位置を特定するコンテンツ位置指示情報を提供するステップ（５２８）と、
前記ＳＭＳメッセージに関連付けられるテキスト及びキャラクタの少なくとも１つを提供するステップ（５３２）と
を含む、前記ユーザにデータの入力を促すステップ（５２０）と、
入力データを用いて前記ＳＭＳメッセージを生成するステップ（５４０）と
を含むことを特徴とする記憶媒体。
【請求項１８】
前記ＳＭＳメッセージに関連付けられたコンテンツファイルをどのようにアニメーションとして実行するかを特定するアニメーション・タイプのパラメータを提供するステップ（５３０）を含むユーザにデータの入力を促すステップをさらに含むことを特徴とする請求項１７に記載の記憶媒体。
【請求項１９】
前記アニメーション・タイプは、表情のアニメーションを含むことを特徴とする請求項１８に記載の記憶媒体。
【請求項２０】
前記アニメーション・タイプは、音声ファイルを画像ファイルに同期させることを含むことを特徴とする請求項１８に記載の記憶媒体。
【請求項２１】
前記コンテンツファイルは、画像であることを特徴とする請求項１７に記載の記憶媒体。
【請求項２２】
前記コンテンツファイルは、感情アイコンであることを特徴とする請求項１７に記載の記憶媒体。
【請求項２３】
前記コンテンツファイルは、音声ファイルであることを特徴とする請求項１７に記載の記憶媒体。
【請求項２４】
前記ＳＭＳメッセージは、送信側の携帯移動通信装置（１１０）から受信側の携帯移動通信装置（１２０）へ、モバイル・ネットワーク１４０を介して送信されることを特徴とする請求項１７に記載の記憶媒体。
【請求項２５】
前記ＳＭＳメッセージは、コンピュータ装置１７０から受信側の携帯移動通信装置（１２０）へ、モバイル・ネットワーク（１４０）と通信可能なインターネット・プロトコル（ＩＰ）ネットワーク（１６０）を介して送信されることを特徴とする請求項１７に記載の記憶媒体。
【請求項２６】
携帯移動通信装置上で、テキストベースのショート・メッセージ・サービス（ＳＭＳ）メッセージに関連付けられたアニメ特性を有する前記ＳＭＳメッセージを表示するための方法をコンピュータに実行させるコンピュータプログラムを記憶したコンピュータで読み取り可能な記憶媒体であって、
前記コンピュータプログラムは、
モバイル・ネットワークから前記ＳＭＳメッセージを受信するステップ（６１０）と、
要求されたアニメーション特性を適用するためにどのように前記ＳＭＳメッセージを扱うかを判定すべく前記ＳＭＳメッセージを解析するステップ（６３０）と、
前記解析されたアニメーションとして実行するＳＭＳメッセージを表示するステップ（６５０）と
を含むことを特徴とする記憶媒体。
【請求項２７】
解析する前記ステップは、
受信した前記ＳＭＳメッセージがアニメーション特性と関連付けられているかどうかを判定するステップ（６３２、６３４）と、
受信した前記ＳＭＳメッセージに関連付けられるべき前記携帯移動通信装置上のコンテンツファイルの位置情報を判定するステップ（６３６）と、
前記コンテンツファイルを取り出すステップ（６３６）と、
取り出した前記コンテンツファイルに適用されるべきアニメーション・タイプを判定するステップ（６３８）と、
前記ＳＭＳメッセージのテキストと、取り出した前記コンテンツファイルとを組み合わせるステップ（６４０）と、
アニメーションとして実行するＳＭＳメッセージを生成するために、組み合わせた前記テキストと前記コンテンツファイルとに前記アニメーション・タイプを適用するステップ（６４０）と
を含むことを特徴とする請求項１６に記載の記憶媒体。
【請求項２８】
前記アニメーション・タイプは、表情のアニメーションを含むことを特徴とする請求項２７に記載の記憶媒体。
【請求項２９】
前記アニメーション・タイプは、音声ファイルを画像ファイルに同期させることを含むことを特徴とする請求項２７に記載の記憶媒体。
【請求項３０】
前記コンテンツファイルは、画像であることを特徴とする請求項２７に記載の記憶媒体。
【請求項３１】
前記コンテンツファイルは、感情アイコンであることを特徴とする請求項２７に記載の記憶媒体。
【請求項３２】
前記コンテンツファイルは、音声ファイルであることを特徴とする請求項２７に記載の記憶媒体。
【請求項３３】
アニメーション特性をショート・メッセージ・サービス（ＳＭＳ）メッセージに添付し、表示することが可能なテキストベースの前記ＳＭＳメッセージを生成し、受信するための携帯移動通信装置１１０、１２０であって、
ＳＭＳメッセージを構成し、送信し、受信し、解析するＳＭＳアプリケーション部（２２０）と、
ＳＭＳメッセージを送受信するためにモバイル・ネットワークと通信を行うＲＦモジュール部（２５０）と、
ＳＭＳメッセージと関連付けられるコンテンツファイルを格納するコンテンツ格納部（２４０）と、
ＳＭＳメッセージに関連付けられるコンテンツファイルにアニメーション特性を適用するアニメーション・アプリケーション部（２３０）と、
前記ＳＭＳアプリケーション部と、前記アニメーション・アプリケーション部とを実行するプロセッサ（２１０）と、
アニメーションＳＭＳメッセージを表示するディスプレイ（２６０）と
を備えることを特徴とする携帯移動通信装置（１１０、１２０）。
【請求項３４】
前記ＳＭＳアプリケーション部（２２０）は、
前記ＳＭＳメッセージの意図した受け手である受信側の携帯移動通信装置を識別するモバイル識別番号を提供するステップ（５２２）と、
前記ＳＭＳメッセージが、前記受信側の携帯移動通信装置によって当該ＳＭＳメッセージに適用されるアニメーション特性を有するか否かを判定するアニメーションフラグを設定するステップ（５２４）と、
前記受信側の携帯移動通信装置に存在するコンテンツファイルの位置を特定するコンテンツ位置指示情報を提供するステップ（５２８）と、
前記ＳＭＳメッセージに関連付けられるテキスト及びキャラクタの少なくとも１つを提供するステップ（５３２）と
を含む、前記ユーザにデータの入力を促すステップ（５２０）と、
入力データを用いて前記ＳＭＳメッセージを生成するステップ（５４０）と
を実行することによってアニメーション特性を有するＳＭＳメッセージを生成することを特徴とする請求項３３に記載の携帯移動通信装置（１１０、１２０）。
【請求項３５】
前記ＳＭＳアプリケーション部（２２０）は、さらに、
前記ＳＭＳメッセージに関連付けられたコンテンツファイルをどのようにアニメーションとして実行するかを特定するアニメーション・タイプのパラメータを提供するステップ（５３０）を含むユーザにデータの入力を促すステップをさらに実行することを特徴とする請求項３４に記載の携帯移動通信装置（１１０、１２０）。
【請求項３６】
前記ＳＭＳアプリケーション部（２２０）は、
モバイル・ネットワークから前記ＳＭＳメッセージを受信するステップ（６１０）と、
要求されたアニメーション特性を適用するためにどのように前記ＳＭＳメッセージを扱うかを判定すべく前記ＳＭＳメッセージを解析するステップ（６３０）と、
前記解析されたアニメーションとして実行するＳＭＳメッセージを表示するステップ（６５０）と
を実行することによって前記ＳＭＳメッセージに関連付けられたアニメーション特性を有するテキストベースのショート・メッセージ・サービス（ＳＭＳ）メッセージを表示することを特徴とする請求項３３に記載の携帯移動通信装置（１１０、１２０）。
【請求項３７】
前記ＳＭＳアプリケーション部（２２０）によって実行される、解析する前記ステップは、
受信した前記ＳＭＳメッセージがアニメーション特性と関連付けられているかどうかを判定するステップ（６３２、６３４）と、
受信した前記ＳＭＳメッセージに関連付けられるべき前記携帯移動通信装置上のコンテンツファイルの位置情報を判定するステップ（６３６）と、
前記コンテンツファイルを取り出すステップ（６３６）と、
取り出した前記コンテンツファイルに適用されるべきアニメーション・タイプを判定するステップ（６３８）と、
前記ＳＭＳメッセージのテキストと、取り出した前記コンテンツファイルとを組み合わせるステップ（６４０）と、
アニメーションとして実行するＳＭＳメッセージを生成するために、組み合わせた前記テキストと前記コンテンツファイルとに前記アニメーション・タイプを適用するステップ（６４０）と
を含むことを特徴とする請求項３６に記載の携帯移動通信装置（１１０、１２０）。
【請求項３８】
前記アニメーション・タイプは、表情のアニメーションを含むことを特徴とする請求項３７に記載の携帯移動通信装置（１１０、１２０）。
【請求項３９】
前記アニメーション・タイプは、音声ファイルを画像ファイルに同期させることを含むことを特徴とする請求項３７に記載の携帯移動通信装置（１１０、１２０）。
【請求項４０】
前記コンテンツファイルは、画像であることを特徴とする請求項３７に記載の携帯移動通信装置（１１０、１２０）。
【請求項４１】
前記コンテンツファイルは、感情アイコンであることを特徴とする請求項３７に記載の携帯移動通信装置（１１０、１２０）。
【請求項４２】
前記コンテンツファイルは、音声ファイルであることを特徴とする請求項３７に記載の携帯移動通信装置（１１０、１２０）。
【発明の詳細な説明】
【技術分野】
【０００１】
本発明は、アニメーションＳＭＳメッセージを提供し表示するための装置及び方法に関するものである。
【背景技術】
【０００２】
移動電話機などの携帯移動通信装置は、ますます高精巧化され、多くの新たな機能や性能を含むようになっている。多くの携帯移動通信装置は、ショート・メッセージ・サービス（ＳＭＳ）をベースとしたテキスト又はキャラクタを用いるメッセージを送信する能力を有する。移動ネットワークインフラにあまり課税されないため、ＳＭＳはサービス・プロバイダに好まれている。また、ＳＭＳは、ショート・バーストにおける通信手段として高速であり、安価であるため、加入者にも好まれている。ＳＭＳメッセージ通信の欠点は、ロバスト性に欠けることにある。画像、音楽ファイル、又はビデオクリップなどのファイル添付物は、加入者に対するコスト及び移動インフラへの負荷を非常に増大させる。要望されたメッセージアプリケーションが既に受信装置に存在すれば、ＳＭＳメッセージアプリケーションは当該知識を利用することができ、加入者に対するコスト又は移動インフラへの負荷を増大させないような方法でコンテンツファイルを利用するための手段を提供することができる。標準のＳＭＳテキストメッセージは、受信装置でグラフィカルな効果を生み出すように生成され、それにより、ユーザ・エクスペリエンスを高めることができる。
【発明の概要】
【０００３】
一実施形態において、装置上で、アニメーション特性をショート・メッセージ・サービス（ＳＭＳ）メッセージに添付することが可能なテキストベースのＳＭＳメッセージを生成するための方法を開示する。本方法は、ＳＭＳメッセージを構成するために使用されるべく、ユーザにデータを入力することを促す。装置は、受信側の携帯移動通信装置を識別するモバイル識別番号を提供するユーザ入力を受信する。装置は、ＳＭＳメッセージが受信側の携帯移動通信装置によって当該ＳＭＳメッセージに適用されるアニメーション特性を有しているか否かを判定するアニメーションフラグを設定する。ユーザ及び装置は、受信側の携帯移動通信装置に存在するコンテンツファイルの位置を特定するコンテンツ位置指示情報を入力する。また、ユーザが入力し、装置がＳＭＳメッセージに関連付けられるべきテキスト及びキャラクタの少なくとも１つを受信する。その後、装置は、入力データを用いてＳＭＳメッセージを構成する。また、装置は、ＳＭＳメッセージに関連付けられたコンテンツファイルをどのようにアニメーションとして実行するかを特定するアニメーション・タイプのパラメータを提供するユーザ入力データを受信することができる。
【０００４】
アニメーション・タイプは表情を含む。さらに、ＳＭＳメッセージにおけるテキストは、表示される代わりに、音声と同期する口の動きを有するアニメーションに同期化される音声信号に変換されることができる。ＳＭＳメッセージは、画像に加えて受信側の電話機に格納されたパラメータ・セットを介して、音声特性を制御させることができ、これにより、画像の人物の音声のようにアニメーションを実行することができる。また、ＳＭＳメッセージは、顔、口、目などをどのようにアニメーションとして実行するかを教示する他の指示を含んでもよい。コンテンツファイルは、とりわけ画像、感情アイコン、又は音声ファイルであってもよい。
【０００５】
ＳＭＳメッセージは、生成され、送信側の携帯移動通信装置から受信側の携帯移動通信装置へモバイル・ネットワークを介して送信される。或いは、ＳＭＳメッセージは、生成され、コンピュータ装置から受信側の携帯移動通信装置へモバイル・ネットワークと通信可能なインターネット・プロトコル（ＩＰ）ネットワークを介して送信される。
【０００６】
他の実施形態において、携帯移動通信装置上で、ショート・メッセージ・サービス（ＳＭＳ）メッセージに関連付けられるアニメーション特性を有するテキストベースのＳＭＳメッセージを表示するための方法を開示する。ＳＭＳメッセージは、モバイル・ネットワークから受信される。その後、受信したＳＭＳメッセージは、表示される前に、要求されたアニメーション特性を適用するために、当該メッセージをどのように扱うかを判定すべく解析される。当該解析ステップは、受信したＳＭＳメッセージがアニメーション特性に関連付けられているか否かを判定する。ＳＭＳメッセージがアニメーション特性に関連付けられている場合、受信したＳＭＳメッセージに関連付けられるべき携帯移動通信装置上のコンテンツファイルの位置を判定する。その後、コンテンツファイルは、取り出され、ＳＭＳメッセージのテキストと組み合わされる。続いて、アニメーション・タイプが、アニメーションＳＭＳメッセージを生成するために、組み合わされたテキスト及びコンテンツファイルに適用される。
【０００７】
さらに他の実施形態において、ショート・メッセージ・サービス（ＳＭＳ）メッセージと関連付けられるアニメーション特性を添付し表示することが可能なテキストベースのＳＭＳメッセージを生成し、受信するための携帯移動通信装置を開示する。携帯移動通信装置は、ＳＭＳメッセージを構成し、送信し、受信し、解析するためのＳＭＳアプリケーション部を備える。ＳＭＳメッセージを送受信するモバイル・ネットワークと通信するためのＲＦモジュール部が備えられる。コンテンツ格納部は、ＳＭＳメッセージに関連付けられるコンテンツファイルを格納する。アニメーション・アプリケーション部は、ＳＭＳメッセージに関連付けられるコンテンツファイルにアニメーション特性を適用する。プロセッサは、携帯移動通信装置の他のコンポーネントの動作を制御するのと同様に、ＳＭＳアプリケーション部とアニメーション・アプリケーション部とを実行する。携帯移動通信装置上のディスプレイは、アニメーションＳＭＳメッセージを表示する。
【図面の簡単な説明】
【０００８】
【図１】複数の携帯移動通信装置間でＳＭＳメッセージを送受信するためのシステムのコンポーネントを示す図である。
【図２】受信側の装置でアニメーション特性を促進するＳＭＳメッセージを送受信することが可能な携帯移動通信装置を示す図である。
【図３】２つの携帯移動通信装置間でアニメーションＳＭＳメッセージを生成し、送信し、受信し、表示するデータのフローを示す図である。
【図４】メッセージ・フィールドと、当該メッセージ・フィールドのサンプルデータとを表示するＳＭＳメッセージの一例を示す図である。
【図５】携帯移動通信装置でＳＭＳメッセージを構成し、送信する詳細な処理を示すフローチャートである。
【図６】携帯移動通信装置でＳＭＳメッセージを受信し、解析し、表示する詳細な処理を示すフローチャートである。
【発明を実施するための形態】
【０００９】
図１は、複数の携帯移動通信装置間でＳＭＳメッセージを送受信するためのシステムのコンポーネントを示す図である。送信側の携帯移動通信装置１１０は、基地局１３０を経由しモバイル・ネットワーク１４０を介して受信側の携帯移動通信装置１２０と通信を行なうことができる。携帯移動通信装置１１０、１２０間で可能な通信のタイプは、音声とデータとの両方を含むことができる。ここでは、通信のタイプとしてデータ通信、特にテキストメッセージとしてよく知られているショート・メッセージ・サービス（ＳＭＳ）通信が説明される。ＳＭＳメッセージは、相対的に電子メールと同様であるが、モバイル電話ネットワーク１４０を介したショート文字列ベースの通信である。ＳＭＳメッセージにはファイルの添付物は許容されない。２つの携帯移動通信装置間でファイル（例えば、画像ファイル又は音声ファイル）がテキストメッセージに添付される場合、当該ファイルは、通常、マルチメディア・メッセージ（ＭＭＳ）として参照される。
【００１０】
ＳＭＳメッセージは、モバイル・ネットワーク・インフラ１４０に過度に課税されることなく、サービスの利益を得るユーザに対して料金を課金するための根拠を比較的容易に与えないように、長さにおいて意図的に制約が設けられ、テキストの文字が制限される。本発明は、テキストのみを用いる受信側の携帯移動通信装置１２０において、ＳＭＳメッセージがマルチメディア・タイプの応答のトリガとなりえる機構を提供する。これは、指示としてテキストを取り扱う受信側の携帯移動通信装置１２０を有し、当該指示が実行されるようにそれ相応にテキストを解析することによって達成される。
【００１１】
図１の受信側の携帯移動通信装置１２０のディスプレイ１５０は、受信側の携帯移動通信装置１２０のユーザが送信側のユーザに電話をかけることを告げる、テキストの”吹き出し（ｃａｌｌｏｕｔ）”を有する人物の画像を示す。図１が静的であるため、ディスプレイの画像のアニメーションについては図示していないが可能である。例えば、ユーザの口に対して発話を示す動きをさせてもよい。
【００１２】
送信側の携帯移動通信装置１１０は、受信側の携帯移動通信装置１２０に対して、用語”Ｃａｌｌ  Ｍｅ”というテキストとともに、ＳＭＳメッセージを送信する。ＳＭＳメッセージは、受信側の携帯移動通信装置１２０によって解析される場合に画像が表示される追加のデータフィールドと、吹き出し（Callout bubble）に示されるテキストとともに構成される。任意の画像のアニメーションがＳＭＳメッセージに含まれてもよい。
【００１３】
ＳＭＳメッセージはまた、モバイル・ネットワーク１４０がＩＰネットワーク１６０と通信可能であるため、ＩＰネットワーク１６０を介したインターネットアクセスを有するコンピュータから受信側の携帯移動通信装置１２０に送信される。
【００１４】
図２は、受信側の装置でアニメーション特性を促進するＳＭＳメッセージを送受信することが可能な携帯移動通信装置を示す図である。携帯移動通信装置１１０、１２０の中心はプロセッサ２１０である。プロセッサ２１０は、携帯移動通信装置１１０、１２０において無数のアプリケーションを実行することに関与する。実際には、携帯移動通信装置１１０、１２０において複数のプロセッサ２１０を使用することは珍しいことではなく、図２には単一のプロセッサ２１０のみを示すが、図を簡略化するためである。
【００１５】
プロセッサ２１０は、ＳＭＳメッセージ・アプリケーション部２２０、アニメーション・アプリケーション部２３０、コンテンツ格納装置（１つ又は複数）２４０、ＲＦモジュール部２５０、出力手段（ディスプレイ、スピーカ）２６０、及び他のアプリケーション部２７０に接続される。また、ＲＦモジュール部は、モバイル・ネットワークとのＲＦ通信を容易にするためにアンテナ２５５に接続される。ＳＭＳアプリケーション部２２０は、ユーザがＳＭＳメッセージの送信を望む場合やＳＭＳメッセージを受信した場合に動作する。ＳＭＳアプリケーション部２２０は、受信したＳＭＳメッセージが特別のアニメーション特性を含む場合に、認識することを含む着信ＳＭＳメッセージを受信するか、閲覧するか、応答するか、又は、他の処理を行なうのと同様に、出力するＳＭＳメッセージを構成し、送信するためのユーザインタフェースを提供する。アニメーション・アプリケーション部２３０は、プロセッサ２１０を経由してＳＭＳアプリケーション部２２０と接続される。アニメーション・アプリケーション部２３０は、携帯移動通信装置のディスプレイ上にアニメーション効果とともに表示される静止画像を扱うことができる。この機能／技術は、例えば、ソニー所有のMotionPortrait（登録商標）アプリケーションを用いて実装される。ＳＭＳアプリケーション部２２０は、ＳＭＳテキストメッセージとともにアニメーションを組み込むことができる。
【００１６】
コンテンツ格納装置（１つ又は複数）２４０は、限定はしないが、静止画像（例えば、ｊｐｅｇ、ｇｉｆなど）、ビデオクリップ、音声ファイル、合成した音声と頭、口及び目の動きとを同期化する画像に関連付けられた音声特性若しくはパラメータ、又は、他のアプリケーション特定ファイルを含むコンテンツファイルが格納されていることを示す。コンテンツ格納装置（１つ又は複数）２４０は、携帯移動通信装置内のＲＡＭ、携帯移動通信装置に挿入され、かつ、携帯移動通信装置から取り外し可能なリムーバブル記憶媒体（例えば、ソニーのメモリスティック、コンパクト・フラッシュなど）、内部のハードドライブ、ＳＩＭ上の指定領域などとして実装される。
【００１７】
ＲＦモジュール部２５０は、モバイル・ネットワークへ／から、ＲＦ信号を送信／受信する。これは、電話呼の音声と、ＳＭＳテキストメッセージのデータとの両方を含む。他のデータのＲＦ伝送についてもＲＦモジュール部２５０によって扱われるが、本開示の範囲外となる。
【００１８】
出力手段２６０は、知覚でユーザに提供する任意の機構を含む。これは、限定はしないが、音声出力を提供するためのスピーカだけでなく、静止画及び動画の両方を含むテキスト及び画像などのグラフィックを表示するためのディスプレイを含むことができる。触感を提供するバイブレーションによる着信通知もまた、出力手段の１つとして考慮できる。
【００１９】
図２には、携帯移動通信装置に関連付けられた、不特定の他のアプリケーション部２７０が含まれる。例えば、ウェブブラウザは、携帯移動通信装置における機能一式の一部である。着信ＳＭＳメッセージは、受信側のユーザに対して、「当該ウェブサイトの確認」を問い合わせ、当該ウェブサイトへのリンクを提供してもよい。
【００２０】
図３は、２つの携帯移動通信装置間でアニメーションＳＭＳメッセージを生成し、送信し、受信し、表示するデータのフローを示す図である。図３は、３つのエンティティである、送信側の携帯移動通信装置、受信側の携帯移動通信装置、及びそれらの間のモバイル・ネットワークを示す。ＳＭＳメッセージは、３０５において、送信側の携帯移動通信装置で生成される。ＳＭＳメッセージの内容の詳細と、ＳＭＳメッセージ生成のためのサブ処理とについては、図４及び図５を参照して後述する。その後、ＳＭＳメッセージは、３１０において、送信側の携帯移動通信装置から送信される。モバイル・ネットワークは、３１５において、ＳＭＳメッセージを受信し、指定された受信側の携帯移動通信装置に対して、当該ＳＭＳメッセージを中継するか、又は、経路指定することによって、ＳＭＳメッセージを処理する。３２０において、受信側の携帯移動通信装置は、モバイル・ネットワークからＳＭＳメッセージを受信する。その後、受信側の携帯移動通信装置によって、３２５において、ＳＭＳメッセージが開かれ、３３０において、解析される。ＳＭＳメッセージの受信処理及び解析処理の詳細については、図６を参照して後述する。
【００２１】
３３０で解析されると、３３５において、ＳＭＳメッセージは、受信側の携帯移動通信装置によって表示される。その後、必要であれば３４０において、受信側の携帯移動通信装置は、ＳＭＳメッセージに直接応答する機会をユーザに与える。或いは、ユーザは、３６０において、受信したＳＭＳメッセージに基づき、（直接応答することとは別の）別のアクティビィティを開始することができる。そのような他のアクティビィティは、限定はしないが、音声呼への置き換え、インスタント・メッセージ（ＩＭ）セッションの開始、セルを介したプッシュ・ツー・トーク（ＰｏＣ）セッションの開始などを含む。
【００２２】
図４は、メッセージ・フィールドと、当該メッセージ・フィールドのサンプルデータとを表示するＳＭＳメッセージの一例を示す図である。通常のＳＭＳメッセージは、３つのコンポーネント、宛先モバイル識別子（受信フィールド）４１５、サブジェクト・フィールド４２０、及び、メッセージのテキスト（メッセージのテキスト・フィールド）４４０から構成される。本発明は、ＳＭＳメッセージ４１０に３つの追加のフィールド、アニメーション・フラグ・フィールド４２５、コンテンツ指示フィールド４３０、及び、アニメーション・タイプ・フィールド４３５を加える。
【００２３】
受信フィールド４１５には、生成されたＳＭＳメッセージの受け手を示す１つ以上のモバイル識別番号が含まれる。サブジェクト・フィールド４２０は、ユーザが受信側にＳＭＳメッセージを簡潔に紹介することを許容するフィールドである。アニメーション・フラグ・フィールド４２５は、受け手がＳＭＳメッセージを閲覧する場合に、ＳＭＳメッセージがアニメーションに関連付けられるべきであるか否かを示すバイナリタイプのフィールドである。コンテンツ指示フィールド４３０は、着信ＳＭＳメッセージに関連付けられるべき画像などのコンテンツファイルを発見するための受信側の携帯移動通信装置上の位置情報を含む。アニメーション・タイプ・フィールド４３５は、ＳＭＳメッセージに関連付けられたコンテンツファイル上で実行されるべきアニメーションのタイプを示す。
【００２４】
アニメーション・タイプは、限定はしないが、表情（うれしい、悲しい、怒り、驚きなど）、ＳＭＳメッセージのテキスト用の吹き出しボックス（又は、サブジェクト）、コンテンツファイルの動き、アニメーション画像と同期する音声などのコンテンツファイルに適用される特有の効果などを含む。
【００２５】
そのようなアニメーション技術の１つには、ソニー株式会社によって開発されたMotionPortrait（登録商標）がある。MotionPortrait（登録商標）は、通常、以下のように動作する。従来では、アニメーションされるべき人物の頭の画像がカメラで撮影され、移動電話機に格納されていた。移動電話機のプロセッサは、頭、口及び目の位置と外形を特定する（アニメーション・アプリケーションの一部と成りうる）ソフトウェアを実行する。当該情報を有する画像が格納されている。アニメーション・プログラムが読み出されると、当該アニメーション・プログラムは、目が種々の方向を見るように、かつ、口が話しているように見えるように、目及び口の形状を画像に入れ込む。また、画像において頭を種々の方向に回転することができる。MotionPortrait（登録商標）プログラムはまた、頭、口及び目の動きを音声又は音楽に同期させることができる。当該プログラムはまた、ＳＭＳメッセージからの情報を構築する代わりに、予め定義された音声フレーズに関連付けられた、予め構成されたアニメーションを描画することができる。ここで、当該予め定義された音声フレーズは、単にＳＭＳメッセージによって選択されたものである。
【００２６】
最後に、メッセージのテキスト・フィールド４４０は、ユーザによって構成されたＳＭＳメッセージの実際のテキスト内容を含むフィールドである。図４の右側は、各フィールドへ置き換えられた例示のデータを有するＳＭＳテキストメッセージを４５０を示す。セルラー電話番号４５５（米国形式）は、受信側の携帯移動通信装置を特定する受信フィールドに入力される。サブジェクト・フィールドには、フレーズ”Ｗｈａｔ’ｓ  ｕｐ”４６０が配置される。アニメーション・フラグには、”ｏｎ”４６５が設定される。コンテンツ指示フィールドには、ＳＭＳメッセージに関連付けられたメアリー（おそらくＳＭＳメッセージの送信者である）の画像を示す”phone/mem_stk/pictures/mary.jpg”のメモリの格納先アドレス又は位置情報が含まれる。
【００２７】
示した位置情報は単に一例であって、受信側の携帯移動通信装置上であればどこであってもよい。アニメーション機能の利用を容易にするために、当該機能をサポートする携帯移動通信装置は、コンテンツファイルを含むメモリ領域を指定することができる。この方法は、送信側のユーザが受信側の携帯移動通信装置上のコンテンツファイルの位置情報を必要とせず、ファイル名称だけでよい。さらに、それらは、感情アイコンや、病院、教会、家などのありふれた場所の画像などのアニメーション機能によってサポートされる、ありふれたコンテンツファイルのセットであってもよい。互いに親しいユーザ同士では、互いによく知っている、より個別化したコンテンツファイル（人物、画像、歌など）を含んでもよい。
【００２８】
アニメーション・タイプ・フィールドは、メアリーの画像が発話を示す漫画のようなテキストの吹き出しとともに、うれしさを表す表情を有するアニメーションとして実行されることを示す”テキストによる吹き出しを有するうれしい顔”４７５に設定される。
【００２９】
図５は、携帯移動通信装置でＳＭＳメッセージを構成し、送信する詳細な処理を示すフローチャートである。送信側の携帯移動通信装置上のＳＭＳアプリケーション部は、５１０において、ユーザによって開始される。その後、５２０において、ＳＭＳアプリケーション部は、ＳＭＳフィールドに配置されるべきユーザ入力を必要とする一連のプロンプト又はクエリを開始する。
【００３０】
５２２において、ＳＭＳアプリケーション部は、意図した受け手である携帯移動通信装置を特定するユーザ入力を受信する。参照例として米国のものを用いる場合、電話番号として最もよく知られている１０桁のモバイル識別番号が入力される。次に、５２４において、ＳＭＳアプリケーション部は、アニメーションフラグをどのように設定するかをユーザに促す。５２６でＳＭＳメッセージがアニメーションとして実行されるようにアニメーションの決定がなされると、ＳＭＳアプリケーション部は、５２８において、ＳＭＳメッセージに関連付けられたコンテンツファイルの位置情報を示す位置指示情報のための入力をユーザに促す。
【００３１】
当該メッセージが、システムリソースに対して低い経費で運用するＳＭＳメッセージを維持し、ユーザの支払いを低減するべきであるため、コンテンツファイルはＳＭＳメッセージの一部ではない。むしろ、コンテンツファイルは、受信側の携帯移動通信装置上で既知の又は指定された位置に既に存在する。送信側の携帯移動通信装置のユーザは、所望のコンテンツファイルが受信側の携帯移動通信装置上のどこに位置しているかを知っている必要がある。これを支援するために、アニメーションが可能なＳＭＳアプリケーション部を実装する全ての携帯移動通信装置に共通するメモリ位置情報を指定する。当該位置情報は、例えば、感情アイコンなどの既知のコンテンツファイルのセットにおける格納場所であってもよい。さらに、送信側及び受信側の携帯移動通信装置のユーザが互いにとても親しければ、人物、ペット、場所などの個別の画像は指定した領域に格納されているはずである。親密度に基づき、送信側の携帯移動通信装置のユーザは、高い信頼性で受信側の携帯移動通信装置上の画像コンテンツファイルを特定することができる。
【００３２】
アニメーションを実行する又は画像のＳＭＳメッセージは、人物だけでなく場所を特定するために生成することができる。例えば、送信側の携帯移動通信装置は、テキスト・フィールドに”ここで１０時に待ち合わせ”と記載したＳＭＳメッセージを、受信側の携帯移動通信装置に送信することができる。当該テキストは、ユーザが頻繁に利用する特定のレストランの画像に関連付けられる。
【００３３】
５２８において、コンテンツファイルの位置指示情報が入力されると、送信側の携帯移動通信装置のユーザは、５３０において、受信側の装置によって開かれた場合に選択したコンテンツファイルが所望の方法で操作されるように、アニメーション・タイプのパラメータを入力することができる。５３２において入力されるべきＳＭＳメッセージの最後のコンポーネントは、メッセージの実際のテキストである。選択されたアニメーション・タイプに応じて、実際のテキストは、受信側の装置によって音声に変換され、ＳＭＳメッセージが開かれたことに応じて出力される。或いは、テキストのままにすることもでき、画像ファイルに関連付けられた吹き出しに表示してもよい。
【００３４】
送信側の携帯移動通信装置のユーザがＳＭＳメッセージに対する入力を供給すると、５４０において、ＳＭＳアプリケーション部は、送信するＳＭＳメッセージを構築する。構築すると、送信側の携帯移動通信装置のユーザは、５５０において、ＳＭＳアプリケーション部に対して、受信側の携帯移動通信装置へＲＦモジュール部によってモバイル・ネットワークを介してＳＭＳメッセージを送信するように指示する。
【００３５】
図６は、携帯移動通信装置でＳＭＳメッセージを受信し、解析し、表示する詳細な処理を示すフローチャートである。受信側の携帯移動通信装置は、６１０において、ＳＭＳメッセージを受信し、そのユーザに対して、ＳＭＳアプリケーション部を介してアラートなどでイベントを通知する。ＳＭＳアプリケーション部は、６２０において、受信したＳＭＳメッセージを開いて閲覧するか否かをユーザに促す。ユーザがＳＭＳアプリケーション部に対してＳＭＳメッセージを表示するように指示すると、ＳＭＳアプリケーション部は、６３０において、ＳＭＳメッセージの解析処理を開始する。６３２における受信したＳＭＳメッセージを解析する第１のステップは、アニメーション・フィールドのフラグ設定を確認することである。６３４のアニメーション・フィールドのフラグの決定でアニメーションが’ｏｎ’を示していれば、解析処理は、６３６において、コンテンツ位置指示情報を判定し、当該位置情報のコンテンツファイルを取り出す処理を行なう。続いて、ＳＭＳアプリケーション部は、６４０において、コンテンツファイルにアニメーションを適用し、アニメーションを実行するコンテンツファイルとメッセージのテキスト・フィールドに含まれるテキストとをマージする。その後、６５０において、ＳＭＳアプリケーション部は、受信したＳＭＳメッセージによるアニメーション化した構築物を表示する。
【００３６】
当業者には理解できると思われるが、本発明は、方法、システム、又は、コンピュータプログラムとして実現することが可能である。したがって、本発明は、全体としてハードウェアの実施形態か、全体としてソフトウェアの実施形態（ファームウェア、常駐ソフトウェア、マイクロコードなどを含む）か、又はソフトウェアとハードウェアとの態様を組み合わせた実施形態の形をとり得る。本明細書ではこれらすべてを一般的に「回路」、「モジュール」又は「システム」と呼ぶことにする。さらに、本発明は、コンピュータで使用可能な記憶媒体上のコンピュータプログラムであって、上記媒体に組み込まれたプログラムコードを含むコンピュータプログラムの形をとることも可能である。
【００３７】
任意の好適なコンピュータ可読媒体を利用してもよい。コンピュータで使用可能な媒体又はコンピュータ可読媒体は、例えば、電子的、磁気的、光学的、電磁的、赤外線の又は半導体のシステム、設備、装置、又は伝播媒体であるが、これらに限定されるわけではない。コンピュータ可読媒体のさらに詳細な例（非包括的なリスト）には、１以上の配線を有する電気接続、ポータブルコンピュータディスケット、ハードディスク、ランダムアクセスメモリ（ＲＡＭ）、リードオンリメモリ（ＲＯＭ）、消去可能なプログラム可能なリードオンリメモリ（ＥＰＲＯＭ又はフラッシュメモリ）、光ファイバ、携帯用コンパクトディスクリードオンリメモリ（ＣＤ−ＲＯＭ）、光記憶装置、インターネット若しくはイントラネットをサポートするような送信媒体、又は、磁気記憶装置が含まれる。なお、コンピュータで使用可能な媒体又はコンピュータ可読媒体とは、プログラムが印刷された紙又は別の適切な媒体であってもよい。これは、例えば紙又は他の媒体を光走査し、その後必要に応じてコンパイル、変換又は適切な方法で処理を行い、コンピュータメモリに記憶することによって、プログラムを電子的に取り込むことが可能だからである。本書の文脈において、コンピュータで使用可能な又はコンピュータで読取り可能な媒体は、命令実行システム、設備、又は装置により又は共に使用される番組を収容し、記憶し、通信し、伝播し、又は転送できるあらゆる媒体であってもよい。
【００３８】
本発明の演算を実行するためのコンピュータプログラムコードは、Ｊａｖａ（登録商標）、Ｓｍａｌｌｔａｌｋ、Ｃ＋＋等のようなオブジェクト指向言語で書かれたものであってもよい。しかし、本発明の演算を実行するためのコンピュータプログラムコードは、従来の手続きプログラミング言語、例えばＣプログラム言語、又は同様のプログラム言語で書かれていてもよい。プログラムコードは、ユーザのコンピュータでその全体を実行してもよいし、ユーザのコンピュータでその一部を、ユーザのコンピュータで独立型ソフトウェアパッケージとしてその一部を、及び、遠隔コンピュータにおいてその一部を、又は遠隔コンピュータ若しくはサーバでその全体を実行してもよい。後者のシナリオでは、ローカルエリアネットワーク（ＬＡＮ）又は広域ネットワーク（ＷＡＮ）を介して遠隔コンピュータをユーザのコンピュータに接続してもよい。或いは、この接続は、（インターネットサービスプロバイダなどを利用するインターネットを通じて）外部のコンピュータと行うようにしてもよい。
【００３９】
本発明の実施形態による方法、装置（システム）、コンピュータプログラムのフローチャート図及びブロック図の少なくともいずれかを参照しながら、本発明について説明した。フローチャート図とブロック図の少なくともいずれかの個々のブロック、及び、フローチャート内のブロックとブロック図の少なくともいずれかの組み合わせがコンピュータプログラム命令により実現可能であることは理解できよう。これらのコンピュータプログラム命令は、汎用コンピュータ、特定用途のコンピュータ、機械を生産するための他のプログラム可能なデータ処理装置のプロセッサに対して提供される。コンピュータと、その他のプログラム可能なデータ処理装置のプロセッサとにより実行される命令は、フローチャートとブロック図のブロック又はブロック群との少なくともいずれかのブロックで特定される機能／動作を実行する手段を創出する。
【００４０】
また、これらのコンピュータプログラム命令は、コンピュータ可読メモリに格納されてもよく、これらの命令は、コンピュータ又は他のプログラム可能なデータ処理装置に対して特定の方法で指示を行うことができる。そうすることで、コンピュータ可読メモリに格納された上記命令によって、フローチャートとブロック図のブロック又はブロック群との少なくともいずれかのブロックで特定される機能／動作を実現する命令手段を含むコンピュータプログラムが生成される。
【００４１】
上記コンピュータプログラム命令は、コンピュータ又は他のプログラム可能なデータ処理装置において一連の処理ステップを実行するために、コンピュータ又は他のプログラム可能なデータ処理装置にロードされ、コンピュータにより実行される処理を生成してもよい。そうすることで、コンピュータ又は他のプログラム可能な装置において実行される命令は、フローチャートと、ブロック図のブロック又はブロック群とで特定される機能／動作を実現するステップを提供することになる。
【００４２】
本発明に関する任意のプロンプトは、携帯移動通信装置などのディスプレイに提示されるグラフィカル・ユーザ・インタフェース（ＧＵＩ）を介して提示され、応答される。
【００４３】
上記図中のフローチャート及びブロック図は、本発明の各種の実施形態に係るシステム、方法並びにコンピュータプログラムのアーキテクチャ、機能及び可能な実装構成の動作を例示するものである。この点に関して、フローチャート又はブロック図内の個々のブロックは、特定された（単複の）論理機能を実現する１以上の実行可能な命令を備えたモジュール、セグメント、又はコードの一部を表すことも可能である。いくつかの代替の実施形態では、上記ブロックにおいて上述した機能が図中で述べた順序とは異なる順序で行われる場合もあることにも留意されたい。例えば、続けて示される２つのブロックを、実際には、機能に応じてほぼ同時に実行され、又は、逆の順序で実行されることも時として可能である。ブロック図の個々のブロックとフローチャート図との少なくともいずれか、並びに、ブロック図内のブロックの組み合わせとフローチャート図との少なくともいずれかは、指定の機能若しくは動作又は特定用途向けハードウェアとコンピュータ命令との組み合わせを実行する特定用途向けハードウェアベースのシステムにより実現が可能であることも付記しておく。
【００４４】
本明細書で使用されている用語は特定の実施形態について単に説明することを目的とするものであって、本発明の限定を意図するものではない。本明細書で使用されているように、文脈が別段に示していない限り、単数形を示す「ａ」、「ａｎ」及び「ｔｈｅ」は複数形も同様に含むことを意図するものである。「備える（comprises）」と、「備えている（comprising）」という用語は、本明細書で使用される場合、上述の特徴、数値、ステップ、処理、要素とコンポーネントの少なくともいずれかの存在を特定する用語であるが、１以上の他の特徴、数値、ステップ、処理、要素及びこれらのグループの少なくともいずれかの存在又は追加を除外するものではないことをさらに理解されたい。
【００４５】
特定の実施形態について本明細書に図示し説明したが、当業者が認識するように、図示された特定の実施形態の代わりに同じ目的を達成するように考慮された任意の構成を用いてもよく、また本発明は別の環境において別のアプリケーションを有するものであってもよい。本願は本発明の全ての適用又は変形をカバーするものである。特許請求の範囲は、本発明の範囲を上述した特定の実施形態に限定する意図は全くない。
【図１】
2010517192.tif 000003
【図２】
2010517192.tif 000004
【図３】
2010517192.tif 000005
【図４】
2010517192.tif 000006
【図５】
2010517192.tif 000007
【図６】
2010517192.tif 000008
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
アニメーション特性をショート・メッセージ・サービス（ＳＭＳ）メッセージに添付することが可能なテキストベースの前記ＳＭＳメッセージを生成するための方法であって、
前記ＳＭＳメッセージの意図した受け手である受信側の携帯移動通信装置を識別するモバイル識別番号を提供するステップ（５２２）と、
前記ＳＭＳメッセージが、前記受信側の携帯移動通信装置によって当該ＳＭＳメッセージに適用されるアニメーション特性を有するか否かを判定するアニメーションフラグを設定するステップ（５２４）と、
前記受信側の携帯移動通信装置に存在するコンテンツファイルの位置を特定するコンテンツ位置指示情報を提供するステップ（５２８）と、
前記ＳＭＳメッセージに関連付けられたコンテンツファイルをどのようにアニメーションとして実行するかを特定するアニメーション・タイプのパラメータを提供するステップ（５３０）と、
前記ＳＭＳメッセージに関連付けられるテキスト及びキャラクタの少なくとも１つを提供するステップ（５３２）と
を含む、前記ユーザにデータの入力を促すステップ（５２０）と、
入力データを用いて前記ＳＭＳメッセージを生成するステップ（５４０）と
を含むことを特徴とする方法。
【請求項２】
前記アニメーション・タイプは、表情のアニメーション、又は、音声ファイルを画像ファイルに同期させることを含むことを特徴とする請求項１に記載の方法。
【請求項３】
前記コンテンツファイルは、画像、感情アイコン、又は、音声ファイルであることを特徴とする請求項１に記載の方法。
【請求項４】
前記ＳＭＳメッセージは、送信側の携帯移動通信装置（１１０）から受信側の携帯移動通信装置（１２０）へ、モバイル・ネットワーク（１４０）を介して送信されることを特徴とする請求項１に記載の方法。
【請求項５】
前記ＳＭＳメッセージは、コンピュータ装置（１７０）から受信側の携帯移動通信装置（１２０）へ、モバイル・ネットワーク（１４０）と通信可能なインターネット・プロトコル（ＩＰ）ネットワーク（１６０）を介して送信されることを特徴とする請求項１に記載の方法。
【請求項６】
アニメーション特性をショート・メッセージ・サービス（ＳＭＳ）メッセージに添付し、表示することが可能なテキストベースの前記ＳＭＳメッセージを生成し、受信するための携帯移動通信装置（１１０、１２０）であって、
ＳＭＳメッセージを構成し、送信し、受信し、解析するＳＭＳアプリケーション部（２２０）と、
ＳＭＳメッセージを送受信するためにモバイル・ネットワークと通信を行うＲＦモジュール部（２５０）と、
ＳＭＳメッセージと関連付けられるコンテンツファイルを格納するコンテンツ格納部（２４０）と、
ＳＭＳメッセージに関連付けられるコンテンツファイルにアニメーション特性を適用するアニメーション・アプリケーション部（２３０）と、
前記ＳＭＳアプリケーション部と、前記アニメーション・アプリケーション部とを実行するプロセッサ（２１０）と、
アニメーションＳＭＳメッセージを表示するディスプレイ（２６０）と
を備えることを特徴とする携帯移動通信装置（１１０、１２０）。
【請求項７】
前記ＳＭＳアプリケーション部（２２０）は、
前記ＳＭＳメッセージの意図した受け手である受信側の携帯移動通信装置を識別するモバイル識別番号を提供するステップ（５２２）と、
前記ＳＭＳメッセージが、前記受信側の携帯移動通信装置によって当該ＳＭＳメッセージに適用されるアニメーション特性を有するか否かを判定するアニメーションフラグを設定するステップ（５２４）と、
前記受信側の携帯移動通信装置に存在するコンテンツファイルの位置を特定するコンテンツ位置指示情報を提供するステップ（５２８）と、
前記ＳＭＳメッセージに関連付けられるテキスト及びキャラクタの少なくとも１つを提供するステップ（５３２）と
を含む、前記ユーザにデータの入力を促すステップ（５２０）と、
入力データを用いて前記ＳＭＳメッセージを生成するステップ（５４０）と
を実行することによってアニメーション特性を有するＳＭＳメッセージを生成することを特徴とする請求項６に記載の携帯移動通信装置（１１０、１２０）。
【請求項８】
前記ＳＭＳアプリケーション部（２２０）は、さらに、
前記ＳＭＳメッセージに関連付けられたコンテンツファイルをどのようにアニメーションとして実行するかを特定するアニメーション・タイプのパラメータを提供するステップ（５３０）を含むユーザにデータの入力を促すステップをさらに実行することを特徴とする請求項７に記載の携帯移動通信装置（１１０、１２０）。
【請求項９】
前記ＳＭＳアプリケーション部（２２０）は、
モバイル・ネットワークから前記ＳＭＳメッセージを受信するステップ（６１０）と、
要求されたアニメーション特性を適用するためにどのように前記ＳＭＳメッセージを扱うかを判定すべく前記ＳＭＳメッセージを解析するステップ（６３０）と、
前記解析されたアニメーションとして実行するＳＭＳメッセージを表示するステップ（６５０）と
を実行することによって前記ＳＭＳメッセージに関連付けられたアニメーション特性を有するテキストベースのショート・メッセージ・サービス（ＳＭＳ）メッセージを表示することを特徴とする請求項６に記載の携帯移動通信装置（１１０、１２０）。
【請求項１０】
前記ＳＭＳアプリケーション部（２２０）によって実行される、解析する前記ステップは、
受信した前記ＳＭＳメッセージがアニメーション特性と関連付けられているかどうかを判定するステップ（６３２、６３４）と、
受信した前記ＳＭＳメッセージに関連付けられるべき前記携帯移動通信装置上のコンテンツファイルの位置情報を判定するステップ（６３６）と、
前記コンテンツファイルを取り出すステップ（６３６）と、
取り出した前記コンテンツファイルに適用されるべきアニメーション・タイプを判定するステップ（６３８）と、
前記ＳＭＳメッセージのテキストと、取り出した前記コンテンツファイルとを組み合わせるステップ（６４０）と、
アニメーションとして実行するＳＭＳメッセージを生成するために、組み合わせた前記テキストと前記コンテンツファイルとに前記アニメーション・タイプを適用するステップ（６４０）と
を含むことを特徴とする請求項９に記載の携帯移動通信装置（１１０、１２０）。
【国際調査報告】
2010517192.tif 000009
2010517192.tif 000010
2010517192.tif 000011